(57)【要約】【課題】  主増幅器で信号を増幅するとともに主増幅器で発生した歪を検出する機能及び主増幅器による増幅信号から検出された歪を除去する機能を有してフィードフォワード方式による歪補償を行うフィードフォワード増幅器で、例えば、搬送波周波数や周囲温度が変化した場合においても、前置歪補償器の歪補償量を最適に調整する。【解決手段】主増幅器１８より前段で信号に歪を発生させる前置歪補償器１５、その入力側の可変減衰器１４、その出力側の可変減衰器１６を備え、制御手段２２、２８が、入力側の可変減衰器の減衰量を調整して前置歪補償器により発生させられる歪を調整するとともに、入力側の可変減衰器の減衰量の調整量とは逆となる調整を出力側の可変減衰器に対して行う。【選択図】  図１
2012156693.tif 000002
【特許請求の範囲】
【請求項１】
主増幅器で信号を増幅するとともに当該主増幅器で発生した歪を検出する機能及び当該主増幅器による増幅信号から当該検出された歪を除去する機能を有してフィードフォワード方式による歪補償を行うフィードフォワード増幅器において、
前記主増幅器より前段に設けられて、信号に歪を発生させる前置歪補償器と、
前記前置歪補償器の入力側に設けられた可変減衰器と、
前記前置歪補償器の出力側に設けられた可変減衰器と、
前記前置歪補償器の入力側に設けられた可変減衰器の減衰量を調整して前記前置歪補償器により発生させられる歪を調整するとともに、前記前置歪補償器の入力側に設けられた可変減衰器の減衰量の調整量とは逆となる調整を前記前置歪補償器の出力側に設けられた可変減衰器に対して行う制御手段と、
を備えたことを特徴とするフィードフォワード増幅器。
【発明の詳細な説明】
【技術分野】
【０００１】
本発明は、前置歪補償器を有するフィードフォワード増幅器に関し、特に、例えば、搬送波周波数や周囲温度が変化した場合においても、前置歪補償器の歪補償量を最適に調整することが可能なフィードフォワード増幅器に関する。
【背景技術】
【０００２】
例えば、移動体通信用の基地局装置や中継局装置では、所定の周波数間隔を有しそれぞれ適宜変調されている多数の搬送波を含むマルチキャリア信号を、高周波増幅した後に無線により送信する。高周波増幅に用いられる増幅器の線形線が十分に良好ではないと、例えば相互変調歪等、各種の歪が発生する。この歪は、正常且つ高品質な通信を実現する上で支障になる。このため、マルチキャリア信号の増幅に用いる増幅器に対しては、マルチキャリア信号が属する周波数帯域全体に亘り、良好な線形性が要求される。
これに関し、マルチキャリア信号の増幅に適する超低歪増幅器を実現する手法として、フィードフォワード歪補償方式がある。
【０００３】
フィードフォワード歪補償方式を使用するフィードフォワード増幅器において、更なる歪補償量や高効率化が求められる場合には、主増幅器の入力側に前置歪補償器（プリディストータ）を設け、主増幅器のＡＭ−ＡＭ特性及びＡＭ−ＰＭ特性を補正し、主増幅器の歪を低減する方法がある。
【０００４】
前置歪補償器による歪補償は、例えばＡＭ−ＡＭ特性の補償の例で考えると、図３に示されるように、前置歪補償器の利得拡張開始点と主増幅器の利得圧縮開始点を最適に調整することで、主増幅器の出力における線形性を改善し、主増幅器の出力における歪を改善するものである。
図３には、前置歪補償器によりＡＭ−ＡＭ特性を補償する様子の一例を示してある。
図３のグラフでは、横軸は入力電力を表しており、縦軸は利得を表している。そして、主増幅器のＡＭ−ＡＭ特性及びその利得圧縮開始点と、前置歪補償器からの出力におけるＡＭ−ＡＭ特性及びその利得拡張開始点を示してある。
【０００５】
このような前置歪補償器では、例えば周囲温度変化などにより、主増幅器の利得やその飽和電力が変化した場合には、主増幅器の利得圧縮開始点に対応する入力電力が変化してしまうため、前置歪補償器の利得拡張開始点が一定であると、利得拡張開始点と利得圧縮開始点が一致しなくなり、最適な歪補償量が得られない。
【０００６】
このような問題を解決する前置歪補償器を有するフィードフォワード増幅器の例として、特許文献１に開示されたようなものがある（特許文献１参照。）。
図４には、このような前置歪補償器を有するフィードフォワード増幅器の構成例を示してある。
本例のフィードフォワード増幅器は、入力端子１０１、出力端子１０２、分配器１１１、可変減衰器１１２、可変移相器１１３、プリディストーション回路（前置歪補償器）１１４、温度検出器１１５、制御回路１１６、可変減衰器１１７、パイロット信号発生器１１８、主増幅器１１９、遅延線１２０、合成器１２１、分配器１２２、遅延線１２３、キャリア検出器１２４、可変減衰器１２５、可変移相器１２６、副増幅器１２７、合成器１２８、パイロット信号検出器１２９、制御回路１３０を備えている。
【０００７】
本例のフィードフォワード増幅器において行われる動作の例を示す。
入力端子１０１より信号が印加された信号が、分配器１１１により２分岐される。本線側に供給される一方の分岐信号は、可変減衰器１１２、可変移相器１１３に入力され、プリディストーション回路１１４、可変減衰器１１７を介して、パイロット信号発生器１１８からパイロット信号が注入された後に、主増幅器１１９に入力される。他方の分岐信号は、遅延線１２０を介して、合成器１２１に入力される。
ここで、プリディストーション回路１１４は、主増幅器１１９の歪について最適にするように設定されている。
また、可変減衰器１１２及び可変移相器１１３は、制御回路１３０により制御される。
【０００８】
主増幅器１１９からの出力は、分配器１２２に入力され、一方の分配出力は遅延線１２３を通り合成器１２８に入力され、他方の分配出力は合成器１２１に入力される。
合成器１２１では、遅延線１２０を通った信号と分配器１２２の出力（他方の分配出力）とを合成する。合成器１２１からの出力は、可変減衰器１２５、可変移相器１２６を通り、副増幅器１２７に入力される。
ここで、可変減衰器１２５、可変移相器１２６は、制御回路１３０により制御される。
副増幅器１２７からの出力は、遅延線１２３を通ってきた信号と合成器１２８により合成され、その合成結果が出力端子１０２より出力される。
【０００９】
合成器１２１の出力点においては、キャリア検出器１２４によりキャリア成分が検出され、その検出キャリアレベルが制御回路１３０に入力される。また、合成器１２８の出力点においては、パイロット信号検出器１２９によりパイロット信号レベルが検出されて制御回路１３０に入力される。
【００１０】
ここで、歪検出機能は、分配器１１１で分配されて遅延線１２０により遅延された信号と分配器１２２で分配された信号が合成器１２１で合成されることで実現される。
また、歪除去機能は、合成器１２１からの出力信号と分配器１２２からの遅延された信号が合成器１２８で合成されることで実現される。
【００１１】
主増幅器１１９の近傍に配置された温度検出器１１５により検出された温度検出信号は、制御回路１１６に入力される。
制御回路１１６は、予め、主増幅器１１９の利得及び最大出力電力の温度変化のデータ（参照データ）を記憶しており、入力された温度検出信号と参照データにより可変減衰器１１７を制御する。これにより、温度変化により主増幅器１１９の利得や飽和電力が変化した場合においても、可変減衰器１１７の減衰量を制御して、プリディストーション回路１１４からの出力電力を変化させて、利得拡張開始点を可変することができる。
【先行技術文献】
【特許文献】
【００１２】
【特許文献１】特開２００８−１５４２９０号公報
【特許文献２】特開２００２−１００９４０号公報
【発明の概要】
【発明が解決しようとする課題】
【００１３】
しかしながら、一般的に、増幅器のＡＭ−ＡＭ特性、ＡＭ−ＰＭ特性が変化する要因としては、温度変化だけではなく、周波数特性による変化もある。
ＡＭ−ＡＭ特性の例で言えば、利得が圧縮し始める入力電力は周波数により異なる。従来の前置歪補償器を有するフィードフォワード増幅器では、温度変化による利得圧縮開始点の変化には対応できるものの、搬送波周波数の変化による利得圧縮開始点の変化には対応することはできず、搬送波周波数に対して前置歪補償器による最適な歪補償量が得られるのは、予め設定されたある周波数に対してのみであった。また、温度変化についても、その変化量は予め決められた変化しかできず、例えば素子のばらつきなどの個体差への対応はできなかった。
【００１４】
本発明は、このような従来の事情に鑑み為されたもので、例えば、搬送波周波数や周囲温度が変化した場合においても、前置歪補償器の歪補償量を最適に調整することが可能なフィードフォワード増幅器を提供することを目的とする。
【課題を解決するための手段】
【００１５】
上記目的を達成するため、本発明では、主増幅器で信号を増幅するとともに当該主増幅器で発生した歪を検出する機能及び当該主増幅器による増幅信号から当該検出された歪を除去する機能を有してフィードフォワード方式による歪補償を行うフィードフォワード増幅器において、次のような構成とした。
すなわち、前記主増幅器より前段に設けられて信号に歪を発生させる前置歪補償器と、前記前置歪補償器の入力側に設けられた可変減衰器と、前記前置歪補償器の出力側に設けられた可変減衰器と、を備え、そして、制御手段が、前記前置歪補償器の入力側に設けられた可変減衰器の減衰量を調整して前記前置歪補償器により発生させられる歪を調整するとともに、前記前置歪補償器の入力側に設けられた可変減衰器の減衰量の調整量とは逆となる調整を前記前置歪補償器の出力側に設けられた可変減衰器に対して行う。
【発明の効果】
【００１６】
以上説明したように、本発明に係るフィードフォワード増幅器によると、例えば、搬送波周波数や周囲温度が変化した場合においても、前置歪補償器の歪補償量を最適に調整することができる。
【図面の簡単な説明】
【００１７】
【図１】本発明の一実施例に係るフィードフォワード増幅器の構成例を示す図である。
【図２】前置歪補償器の動作状態の一例を示す図である。
【図３】前置歪補償器によりＡＭ−ＡＭ特性を補償する様子の一例を示す図である。
【図４】前置歪補償器を有するフィードフォワード増幅器の構成例を示す図である。
【発明を実施するための形態】
【００１８】
本発明に係る実施例を図面を参照して説明する。
図１には、本発明の一実施例に係るフィードフォワード増幅器の構成例を示してある。
本例のフィードフォワード増幅器は、入力端子１、出力端子２、分配器１１、可変な減衰量で信号を減衰する可変減衰器１２、可変な移相量で信号の位相を変化させる可変移相器１３、可変な減衰量で信号を減衰する可変減衰器１４、信号に歪（前置歪）を発生させて歪補償を行う前置歪補償器（プリディストータ）１５、可変な減衰量で信号を減衰する可変減衰器１６、パイロット信号発生器１７、主増幅器１８、歪検出のために設けられて信号を遅延させる遅延線等の遅延回路１９、分配合成器２０、歪除去のために設けられて信号を遅延させる遅延線等の遅延回路２１、検波器２２、可変な減衰量で信号を減衰する可変減衰器２３、可変な移相量で信号の位相を変化させる可変移相器２４、副増幅器（補助増幅器）２５、合成器２６、パイロット信号検出器２７、制御回路２８を備えている。
【００１９】
ここで、歪検出ループにおける可変減衰器１２と可変移相器１３の接続順序としては逆であってもよく、また、歪除去ループにおける可変減衰器２３と可変移相器２４の接続順序としては逆であってもよい。
【００２０】
本例のフィードフォワード増幅器において行われる動作の例を示す。
処理対象の信号が入力端子１に入力される。
入力端子１より入力された信号が、分配器１１により2つの信号に分岐（分配）される。本線側の一方の分岐信号は可変減衰器１２に入力され、他方の分岐信号は遅延回路１９に入力される。
本線側に供給される一方の分岐信号は、可変減衰器１２に入力されて振幅の調整を受けた後に、可変移相器１３に入力されて位相の調整を受け、その後、可変減衰器１４、前置歪補償器１５、可変減衰器１６を通り、主増幅器１８により増幅される。このとき、可変減衰器１６から主増幅器１８へ流れる信号に、パイロット信号発生器１７で発生させられた所定の信号（パイロット信号）が注入されて合成される。
【００２１】
主増幅器１８により増幅された信号は分配合成器２０に入力される。
遅延回路１９の側に供給される他方の分岐信号は、概ねその振幅のまま分配器１１から遅延回路１９を介して分配合成器２０に入力される。
分配合成器２０は、主増幅器１８から出力されて当該主増幅器１８の非線形歪を含む信号を２つの信号に分岐（分配）する。一方の分岐信号は遅延回路２１に供給されて当該遅延回路２１を介して合成器２６に入力され、他方の分岐信号は可変減衰器２３の側に供給される。この際、分配合成器２０では、主増幅器１８からの信号（他方の分岐信号）と遅延部１９を経由して入力された信号とを結合させることにより、この信号中の搬送波成分をキャンセルし、且つこの信号から歪成分を取り出す。
【００２２】
この結合の結果として得られた信号は、専ら歪成分のみを含み搬送波成分を含まない信号となり、分配合成器２０から可変減衰器２３に入力されて振幅の調整を受けた後に、可変移相器２４に入力されて位相の調整を受け、その後、副増幅器２５に入力されて当該副増幅器２５により増幅され、合成器２６に入力される。
副増幅器２５から合成器２６に入力された信号は、遅延回路２１を経由して入力された信号と当該合成器２６により結合される。
この結合の結果として得られた信号は、専ら搬送波成分のみを含み歪成分を含まない信号となり、出力端子２から出力される。
【００２３】
分配合成器２０から可変減衰器２３へ流れる信号を分岐させて、この分岐信号を検波器２２により検波して、この検波結果を制御回路２８に入力する。
合成器２６から出力される信号を分岐させて、この分岐信号に含まれるパイロット信号をパイロット信号検出器２７により検出して、この検出結果を制御回路２８に入力する。
【００２４】
ここで、遅延回路２１を経由した信号と副増幅器２５を経由した信号とを結合させることによって歪を補償するには、遅延回路２１を経由した信号中の歪成分と副増幅器２５を経由した信号中の歪成分を表す信号とが、合成器２６における結合時点で互いに同遅延、同振幅、逆位相でなければならない（なお、実用上で有効な程度で、ずれがあってもよい）。
遅延回路２１は、歪成分同士を同遅延にするための処理部である。また、制御回路２８は、可変減衰器２３及び可変移相器２４を最適な値に調整（制御）し、これは歪成分同士を同振幅、逆位相にするための処理部である。
【００２５】
この具体的な制御方法としては、パイロット信号発生器１７からパイロット信号を注入し、合成器２６から出力されるこのパイロット信号を含む信号を分岐させてパイロット信号検出器２７によって検出し、この検出結果（パイロット信号）が最小となるように、制御回路２８が制御信号によって、可変減衰器２３及び可変移相器２４を適切に制御することで、歪成分を打ち消すことができる。
【００２６】
次に、歪成分を取り出し、前置歪補償器１５の歪補償量を最適に調整する具体的な制御方法について説明する。
制御回路２８は、検波器２２で検出される電力が最小となるように、可変減衰器１２及び可変移相器１３を制御する。これにより、搬送波成分がキャンセルされて主増幅器１８による歪成分のみを含む信号が分配合成器２０により取り出される。
【００２７】
ここで、主増幅器１８の出力信号の分岐と遅延回路１９を経由した信号とを結合させることによって搬送波成分をキャンセルして主増幅器１８で発生する歪を取り出すには、主増幅器１８の出力信号の分岐に含まれている搬送波成分と、遅延回路１９を経由した信号に含まれている搬送波成分とが、分配合成器２０における結合時点で互いに同遅延、同振幅、逆位相でなければならない（なお、実用上で有効な程度で、ずれがあってもよい）。
遅延回路１９は、搬送波成分同士を同遅延にするための処理部である。また、可変減衰器１２及び可変移相器１３並びにこれらにおける制御信号を最適な値に調整（制御）する制御回路２８は、搬送波成分同士を同振幅、逆位相にするための処理部である。
【００２８】
この具体的な制御方法としては、分配合成器２０から可変減衰器２３に入力される信号を分岐させて、この分岐信号を検波器２２によって検波し、この検波結果（電力）が最小となるように、制御回路２８が制御信号によって、可変減衰器１２及び可変移相器１３を適切に制御することで、専ら歪成分のみを含み搬送波成分を含まない信号を取り出すことできる。
【００２９】
このとき、前置歪補償器１５の前後に配置されている可変減衰器１４及び可変減衰器１６は、可変減衰器１４の減衰量をＡＴＴ１とし、可変減衰器１６の減衰量をＡＴＴ２とし、これらの減衰量の合計値をＫとすると、（式１）に示される関係として、この減衰量の合計値Ｋがある決められた一定の値になるように設定されている。
【００３０】
（数１）
ＡＴＴ１＋ＡＴＴ２＝Ｋ
・・（式１）
【００３１】
制御回路２８は、搬送波成分のキャンセル制御を終了した後、更に、検波器２２により検出される電力が最小となるように、可変減衰器１４と可変減衰器１６のそれぞれの減衰量を、（式１）の関係を保つように、同時に制御する。このように可変減衰器１４と可変減衰器１６の制御を行うと、前置歪補償器１５への入力電力を変化させることができるため、前置歪補償器１５の利得拡張開始点を変化させることが可能になる。
【００３２】
この際、可変減衰器１４と可変減衰器１６の合計の減衰量は変わらないため、搬送波成分のキャンセル状態が保たれたままとなっており、検波器２２で検出される電力は、専ら歪成分の電力の増減として電力の検出ができる。検波器２２で検出される電力を最小にするということは、主増幅器１８で発生する歪を最小とすることであり、この状態は、入力されている搬送波の利得圧縮開始点に対して最適な利得拡張開始点に調整されたときである。
【００３３】
図２には、前置歪補償器１５の動作状態の一例を示してある。
図２に示されるグラフにおいて、横軸は入力電力を表しており、縦軸は出力電力を表している。そして、主増幅器１８の出力点（図１中のＡ点）における入出力特性、前置歪補償器１５の出力点（図１中のＢ点）における入出力特性、及びこのときの可変減衰器１４、１６の制御状態について、例を示してある。
【００３４】
本例の前置歪補償器１５による歪補償を最適化する動作の例を説明する。ａ、ｂは、それぞれ、前置歪補償器１５の出力における入出力特性の状態を示す。
ここで、Ｐｉｎは入力端子１への入力電力を示し、Ｐは主増幅器１８における平均出力電力を示し、Ｐｃｏｍｐは主増幅器１８の利得圧縮開始電力を示し、Ｐｐｄ＿ａ及びＰｐｄ＿ｂは前置歪補償器１５の出力における平均出力電力を示し、Ｐｅｘｐは前置歪補償器１５の利得拡張開始電力を示し、αは出力電力がＰｃｏｍｐとなるときの入力電力を示している。
また、Ｇｍは主増幅器１８の利得を示し、ＡＴＴ１＿ａ及びＡＴＴ２＿ａはそれぞれ前置歪補償器１５の出力における入出力特性がａの状態であるときにおける可変減衰器１４及び可変減衰器１６の減衰量を示し、ＡＴＴ１＿ｂ及びＡＴＴ２＿ｂはそれぞれ前置歪補償器１５の出力における入出力特性がｂの状態であるときにおける可変減衰器１４及び可変減衰器１６の減衰量を示し、Ｇｐｄは前置歪補償器１５の利得を示している。
【００３５】
可変減衰器１２及び可変移相器１３により搬送波成分をキャンセルする処理の制御がなされた後に、前置歪補償器１５の出力点（Ｂ点）における入出力特性がaの状態であるとする。
このとき、前置歪補償器１５における出力電力はＰｐｄ＿ａであり、可変減衰器１４及び可変減衰器１６の減衰量の設定はそれぞれＡＴＴ１＿ａ及びＡＴＴ２＿ａである。利得拡張開始点はＰｅｘｐで一定であり、ａの状態では、出力電力がＰｃｏｍｐであるときにおける前置歪補償器１５の出力電力（図２中のβ）がＰｅｘｐと一致せず、前置歪補償器１５による歪補償量は最適な状態ではない。
【００３６】
ここで、制御回路２８により（式１）の通りに可変減衰器１４及び可変減衰器１６の制御がなされる。このとき、検波器２２による検波電力が最小になるのは、Ｐｃｏｍｐとなる入力電力αのときにおける前置歪補償器１５の出力電力がＰｅｘｐになるときであり、前置歪補償器１５の出力における入出力特性がｂの状態である。
この状態は、入力電力がＰｉｎのときにおける前置歪補償器１５の出力電力がＰｐｄ＿ｂであるときであり、可変減衰器１４及び可変減衰器１６の減衰量の設定はそれぞれＡＴＴ１＿ｂ及びＡＴＴ２＿ｂとすることで調整される。
【００３７】
このように、前置歪補償器１５による歪補償を自律的に制御することが可能となるため、例えば、搬送波周波数や周囲温度が変化して、主増幅器１８の利得や飽和出力電力が変化したとしても、これに追従して最適な歪補償を実現することができる。
なお、本例では、ＡＭ−ＡＭ特性を補償する前置歪補償器の例について説明したが、ＡＭ−ＰＭ特性を補償する前置歪補償器の場合についても同様であり、また、これら両方の特性の補償についても同様である。
【００３８】
以上のように、本例では、主増幅器１８、主増幅器１８の入力経路に設けられた前置歪補償器１５、主増幅器１８で発生する歪の成分を検出する歪検出機能、主増幅器１８からの出力に検出された歪成分を注入して歪除去を行う歪除去機能を含むフィードフォワード歪補償を行う増幅器（フィードフォワード増幅器）において、前置歪補償器１５の入力経路に設けられた第１の可変減衰器１２及び第１の可変移相器１３、歪検出機能による検出歪に含まれる入力信号成分が最小となるように第１の可変減衰器１２と第１の可変移相器１３を制御する第１の制御機能（制御回路２８の機能）、前置歪補償器１５の入力経路に設けられた第２の可変減衰器１４、前置歪補償器１５と主増幅器１８との間に設けられた第３の可変減衰器１６、歪検出機能による検出歪（検出される歪成分）が最小となるように且つ第２の可変減衰器１４と第３の可変減衰器１６の合計の減衰量が常に一定値となる関係で、第２の可変減衰器１４と第３の可変減衰器１６をそれぞれ制御する第２の制御機能（制御回路２８の機能）を有する。
【００３９】
従って、本例では、主増幅器１８において発生する歪（例えば、相互変調歪）を補償するためにフィードフォワードループを備えたフィードフォワード増幅器において、例えば、搬送波の周波数が変化したときにおいても、自律的に前置歪補償器１５の歪補償量を最適に調整することが可能であり、前置歪補償器１５により十分な歪補償効果を得ることができる。また、本例では、周波数の変化に限られず、周囲温度の変化などのように前置歪補償器１５の動作点が変化する様々な要因に対しても、同様な効果を得ることができる。
【００４０】
ここで、本例の前置歪補償器１５としては、例えば、前置歪補償器１５自体については帰還制御によるテーブル更新等のアダプティブな制御機能を備えておらず、入力信号のレベルに応じた歪（前置歪（或いは、予歪））を出力するようなものであることが前提となる。このような前置歪補償器１５は、入力信号のレベルに応じた前置歪を出力するため、温度変化や経時変化等の影響などで、必ずしも最適な前置歪を出力できるとは限らない。
本例では、前置歪補償器１５の特性をある程度振って最適値となるようにすることが図られる。このような調整を簡単に行うために、例えば、入力信号のレベルを振って前置歪の特性を最適なものとしようとした場合には、単に入力側に減衰器を用いて入力信号のレベルに変化を与えてしまうと、レベルの変動により、フィードフォワードのループに影響が生じてしまう。
そこで、本例では、入力信号のレベルを前置歪補償器１５の入力で振って前置歪の特性を振りつつ、フィードフォワードのループに影響が出ないように、前置歪補償器１５の出力で、信号のレベルを入力信号のレベルに対応するように戻すためにレベル調整することが行われる。
【００４１】
このように、本例では、前置歪補償器１５を備えたフィードフォワード増幅器において、前置歪補償器１５の入力側及び出力側に可変減衰器１４、１６を備え、入力側の可変減衰器１４の調整により前置歪補償器１５が出力する前置歪が最適となるように調整し、入力側の可変減衰器１４の調整量の逆となる調整を出力側の可変減衰器１６で行う。
【００４２】
（以下、構成例の説明）
一構成例を示す。
主増幅器（本例では、主増幅器１８）で信号を増幅するとともに当該主増幅器で発生した歪を検出する機能（本例では、主に、分配器１１、可変減衰器１２、可変移相器１３、主増幅器１８、遅延回路１９、分配合成器２０のループの機能、及び必要に応じてその制御機能）及び当該主増幅器による増幅信号から当該検出された歪を除去する機能（本例では、主に、遅延回路２１、可変減衰器２３、可変移相器２４、副増幅器２５、合成器２６のループの機能、及び必要に応じてその制御機能）を有してフィードフォワード方式による歪補償を行うフィードフォワード増幅器において、
前記主増幅器より前段に設けられて、信号に歪を発生させる前置歪補償器（本例では、前置歪補償器１５）と、
前記前置歪補償器の入力側に設けられた可変減衰器（本例では、可変減衰器１４）と、
前記前置歪補償器の出力側に設けられた可変減衰器（本例では、可変減衰器１６）と、
前記前置歪補償器の入力側に設けられた可変減衰器の減衰量を調整して前記前置歪補償器により発生させられる歪を調整するとともに、前記前置歪補償器の入力側に設けられた可変減衰器の減衰量の調整量とは逆となる調整を前記前置歪補償器の出力側に設けられた可変減衰器に対して行う制御手段（本例では、検波器２２や制御回路２８の機能）と、
を備えたことを特徴とするフィードフォワード増幅器。
【００４３】
ここで、前置歪補償器の入力側に設けられた可変減衰器の減衰量を調整して前置歪補償器により発生させられる歪を調整する態様としては、種々な態様が用いられてもよく、例えば、主増幅器の入出力特性と前置歪補償器の入出力特性を考えた場合に、同一の入力レベル（例えば、入力電力）で、主増幅器の利得圧縮開始点と前置歪補償器の利得拡張開始点が発生するように調整する態様や、或いはそれに近い状態に調整する態様を用いることができる。
【００４４】
また、前置歪補償器の入力側に設けられた可変減衰器の減衰量の調整量とは逆となる調整を前置歪補償器の出力側に設けられた可変減衰器に対して行う態様としては、例えば、これら２つの可変減衰器の減衰量の和が所定の値（一定の値）に保たれるようにする態様を用いることができる。
（以上、構成例の説明）
【００４５】
（実施例のまとめ）
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４６】
１、１０１・・入力端子、  ２、１０２・・出力端子、  １１、１１１、１２２・・分配器、  １２、１４、１６、２３、１１２、１１７、１２５・・可変減衰器、  １３、２４、１１３、１２６・・可変移相器、  １５、１１４・・前置歪補償器（プリディストーション回路）、  １７、１１８・・パイロット信号発生器、  １８、１１９・・主増幅器、  １９、２１・・遅延回路、  ２０・・分配合成器、  ２２・・検波器、  ２５、１２７・・副増幅器、  ２６、１２１、１２８・・合成器、  ２７、１２９・・パイロット信号検出器、  ２８、１１６、１３０・・制御回路、  １１５・・温度検出器、  １２０、１２３・・遅延線、  １２４・・キャリア検出器、
【図１】
2012156693.tif 000003
【図２】
2012156693.tif 000004
【図３】
2012156693.tif 000005
【図４】
2012156693.tif 000006